(57)【要約】【課題】遊技機の制御動作と合わせて内枠の施錠状態を制御部にて一元管理することで不正防止を図り、かつ制御基板の設計スペースを確保可能な遊技機の施錠装置を提供する。【解決手段】シリンダー錠４４が所定方向に回転したことを内枠解除スイッチ３６が検出すると上下施錠ソレノイド３１、３２を作動させて施錠部Ｒの施錠動作を制御する主制御基板２１ｂ等を備えた。【選択図】図５
2008110080.tif 000002
【特許請求の範囲】
【請求項１】
遊技機の外形を規定する矩形状の外枠と、
前記外枠の前面にヒンジ部を中心に開閉可能に設けられ、前面側に遊技盤が設けられ背面側に制御基板が設けられる内枠と、
前記内枠の前面側に設けられたシリンダー錠が所定方向に回転したことを検出する回転検出手段と、
前記外枠の縦枠部上端近傍及び下端近傍に各々設けられた係合穴に挿抜可能なプランジャを有する施錠ソレノイドが内枠裏面側に各々設けられた施錠部と、
前記シリンダー錠が所定方向に回転したことを回転検出手段が検出すると各施錠ソレノイドを作動させて施錠部の施錠動作を制御する制御部を備えた遊技機用施錠装置。
【請求項２】
前記内枠の外枠に対する開閉動作を検出する開閉検出手段を備え、前記制御部は前記回転検出手段のシリンダー錠の回転検出に加えて前記開閉検出手段が前記内枠の開放を検出すると、当該内枠の正常な開放と判定する請求項１記載の遊技機用施錠装置。
【請求項３】
前記制御部は前記回転検出手段がシリンダー錠の回転を検出せずに前記開閉検出手段のみが前記内枠の開放を検出すると、当該内枠の異常な開放と判定する請求項１又は請求項２記載の遊技機用施錠装置。
【請求項４】
前記制御部が前記内枠の開放を正常な開放又は異常な開放のいずれかと判定した際に、その判定結果に応じた報知パターンで報知する報知手段を備えている請求項１乃至請求項３のいずれか１項に記載の遊技機用施錠装置。
【請求項５】
前記制御部はホールコンピュータと接続され、前記内枠の開放を正常な開放又は異常な開放のいずれかと判定した際に、前記制御部はホールコンピュータへ判定結果をデータ通信する請求項１乃至請求項４のいずれか１項に記載の遊技機用施錠装置。
【請求項６】
請求項１乃至請求項５のいずれか１項に記載の遊技機用施錠装置を備えた遊技機。
【発明の詳細な説明】
【技術分野】
【０００１】
本発明は、遊技機の外形をなす外枠に、遊技盤が組付けられる内枠とガラス枠を有する前面枠が重ね合わされて各々施錠される遊技機用施錠装置及び遊技機に関する。
【背景技術】
【０００２】
ぱちんこ遊技機は、遊技機の外形をなす外枠に対して内枠及び前面枠が、例えば当該前面枠を正面視して左側の縦枠部の上下に設けられたヒンジを中心に開閉可能に設けられている。
【０００３】
内枠の前面側には液晶画面を備えた可変表示装置や入賞口、釘などが設けられた遊技盤や該遊技盤に向かって遊技球を発射する発射装置などが設けられている。また内枠の裏面側には遊技球の貯留タンク、タンクレール、可変表示装置の画像処理を行う画像処理基板、賞球払出装置、遊技機全体の動作を制御する主制御基板、賞球払出装置の払出動作を制御する払出制御基板、発射装置の発射動作を制御する発射制御基板などが設けられている。
また、前面枠にはガラス枠が嵌め込まれておりガラス枠の下部には賞球の受け皿や発射装置を起動するハンドルなどが設けられている。
【０００４】
上述した遊技機の外枠と内枠の間、内枠と前面枠との間に隙間ができると、不正行為が行なわれやすいことから、これらは施錠装置により施錠されている。施錠装置としては例えば図７に示すスライド錠Ｒが設けられる。図７において、外枠５１と内枠５２のスライド錠Ｒを例示すると、内枠５２の開放端裏面側に上下方向に沿って断面Ｌ字状のベースプレート５３が固定されている。ベースプレート５３の起立壁５４にはスライド部材５５がスライド可能に連繋している。スライド部材５５の中途部分には２箇所に係合フック５６が設けられている。係合フック５６は、外枠５１の縦枠部５７に内枠５２側に突設された係合金具５８と係合する施錠位置と係合解除する開錠位置との間をスライドする。スライド部材５５は常時施錠位置にあるように図示しないばねにより一方向へ付勢されている。ベースプレート５３にはシリンダー錠５９（図８；図７の矢印Ａ−Ａの部分断面図参照）が設けられており、該シリンダー錠５９を回転させると、スライド部材５５が施錠位置から開錠位置へスライドするようになっている。
【０００５】
また、他の構成として、スライド部材に鉤状の係合フックが複数個所で回転可能に設けられ、外枠の縦枠部に内枠側へ突設された鉤受け金具と係合するようになっている。また、スライド部材の一端に係合ロッドが連繋しており、外枠の横枠部に設けられた係合穴に進退可能に設けられている。即ち、内枠の不正開放を防ぐため、外枠の縦枠部と横枠部の双方で施錠するようになっている。前面枠側に設けられた鍵穴からシリンダー錠を操作することによりスライド部材を付勢力に抗して所定方向へスライドするようになっている。このスライド部材のスライドにより係合金具に係合する係合フックと係合穴に係合する係合ロッドを施錠位置からこれらの係合が解除される開錠位置へ変位させるようになっている（特許文献１参照）。
【特許文献１】特開２００４−１５４３１６号公報
【発明の開示】
【発明が解決しようとする課題】
【０００６】
上述した遊技機のスライド錠Ｒによれば、係合フック５６及び係合金具５８は、厚さ１．５ｍｍ程度の板金が用いられるため、内枠５２と外枠５１との間に生じた隙間に異物を差し込んで無理に開けようとする不正行為に対しては、板金が曲がって係合が外れるおそれがある。
また特許文献１に示す係合フックと鉤受け金具の数を増やしたとしても、各係合フックは独立に回転するため１箇所若しくは数箇所だけ不正に開放できることに変わりない。
【０００７】
また、図８において外枠５１の縦枠部５７に内枠５２に向けて複数箇所で係合金具５８が突設されている。スライド錠Ｒを開錠して遊技盤６０や内枠裏面側の構造物（画像処理制御基板、主制御基板、可変表示装置等）６１が組み付けられた内枠５２を外枠５１から開閉する際、構造物６１と係合金具５８の干渉を避けるためスペースを設ける必要がある。
近年、遊技盤６０の遊技領域拡大により、内枠裏面側の構造物６１の設置領域が拡大する傾向にある。しかしながら、外枠５１自体の大きさは変わらずしかもスライド錠Ｒと賞球払出装置６２に囲まれた内枠５２裏面側の設計空間が厳しくなる。
【０００８】
本発明は、このような事情に鑑みてなされたもので、遊技機の制御動作と合わせて内枠の施錠状態を制御部にて一元管理することで不正防止を図り、かつ制御基板の設計スペースを確保可能な遊技機用施錠装置及びこれを備えた遊技機を提供することにある。
【課題を解決するための手段】
【０００９】
本発明は上記目的を達成するため、次の構成を備える。
遊技機の外形を規定する矩形状の外枠と、前記外枠の前面にヒンジ部を中心に開閉可能に設けられ、前面側に可変表示装置を含む遊技盤が保持され背面側に制御基板が設けられる内枠と、前記内枠の前面側に設けられたシリンダー錠が所定方向に回転したことを検出する回転検出手段と、前記外枠の縦枠部上端近傍及び下端近傍に各々設けられた係合穴に挿抜可能なプランジャを有する施錠ソレノイドが内枠裏面側に各々設けられた施錠部と、前記シリンダー錠が所定方向に回転したことを回転検出手段が検出すると各施錠ソレノイドを作動させて施錠部の施錠動作を制御する制御部を備えたことを特徴とする。
【００１０】
また、前記内枠の外枠に対する開閉動作を検出する開閉検出手段を備え、前記制御部は前記回転検出手段のシリンダー錠の回転検出に加えて前記開閉検出手段が前記内枠の開放を検出すると、当該内枠の正常な開放と判定することを特徴とする。
【００１１】
また、前記制御部は前記回転検出手段がシリンダー錠の回転を検出せずに前記開閉検出手段のみが前記内枠の開放を検出すると、当該内枠の異常な開放と判定することを特徴とする。
【００１２】
また、前記制御部が前記内枠の開放を正常な開放又は異常な開放のいずれかと判定した際に、その判定結果に応じた報知パターンで報知する報知手段を備えていることを特徴とする。
【００１３】
また、前記制御部はホールコンピュータと接続され、前記内枠の開放を正常な開放又は異常な開放のいずれかと判定した際に、前記制御部はホールコンピュータへ判定結果をデータ通信することを特徴とする。
【発明の効果】
【００１４】
上述した遊技機用施錠装置を用いれば、シリンダー錠が所定方向に回転したことを回転検出手段が検出すると、制御部は各施錠ソレノイドを作動させて施錠動作を制御するので、遊技機の制御動作と合わせて内枠の施錠状態を制御部にて一元管理することで不正防止を図ることができる。
また、内枠裏面側に設けられる施錠部は、外枠の縦枠部上端近傍及び下端近傍に各々設けられた係合穴に挿抜可能なプランジャを有する施錠ソレノイドが各々設けられている。よって、遊技盤の裏面側に設けられる制御基板に隣接する外枠の縦枠部には鉤受け金具等の施錠機構は存在しないため、内枠の開閉に伴って内枠裏面側の構造物が施錠部と干渉するおそれはなく、遊技盤の設置領域の拡大に合わせて制御基板の大きさも可能な限り拡大することができる。
【００１５】
また、制御部は回転検出手段のシリンダー錠の回転検出に加えて開閉検出手段が内枠の開放を検出すると、当該内枠の正常な開放と判定し、前記回転検出手段がシリンダー錠の回転を検出せずに前記開閉検出手段のみが前記内枠の開放を検出すると、当該内枠の異常な開放と判定する。これにより、内枠の開放状態が正常な開放であるか、異常な開放（不正行為）であるかを遊技機ごとに制御部にて判定することができる。
また、制御部が内枠の開放を正常な開放又は異常な開放のいずれかと判定した際に、その判定結果に応じた報知パターンで報知する報知手段を備えていると、内枠が異常開放された遊技機の特定が容易になり、係員の迅速な対応が可能となる。
【００１６】
また、制御部はホールコンピュータと接続され、内枠の開放を正常な開放又は異常な開放のいずれかと判定した際に、前記制御部はホールコンピュータへ判定結果をデータ通信するようになっていると、ホール側で各遊技機の内枠の開閉状態を集中管理し、遊技機ごとの不正監視体制を強化することができる。
また、上述した施錠装置を遊技機に備えていると、ホール側で各遊技機の状態を管理し易く異常時の迅速な対応もとれるので信頼性が向上し、遊技機の商品価値を高めることができる。
【発明を実施するための最良の形態】
【００１７】
以下、本発明に係る遊技機用施錠装置及び遊技機の実施形態について図面を参照しながら具体的に説明する。
図４において、一例としてぱちんこ遊技機の概略構成について説明する。遊技機は、矩形状の外枠１にヒンジ機構２によって前面側に開閉可能に設けられる内枠３（図３参照）と、当該ヒンジ機構２によって内枠３に開閉可能に設けられる前面枠４を備えている。
内枠３には遊技盤５が支持されている。遊技盤５の盤面にはレール６、可変表示装置７、始動入賞口８、通過ゲート９、風車１０、アタッカー１１ａ、チャッカー１１ｂ、アウトロ１２、スピーカー４０などの盤面部品が装着されている。前面枠４には、遊技盤５を覆うガラス枠１３、遊技球を遊技盤５に向かって発射する発射装置を起動するハンドル１４、遊技球を一時的に貯留し賞球が払い出される受け皿１５などが設けられている。
【００１８】
前面枠４に設けられた貫通孔には内枠３に設けられるシリンダー錠の鍵穴部１６が臨むように設けられている。後述する施錠部Ｒにより外枠１と内枠３が電磁駆動により施錠されかつ内枠３と前面枠４は公知のスライド錠により機械的に施錠されるようになっている。例えば、鍵穴部１６に図示しない鍵を差し込み、シリンダー錠を一方向へ回転することにより内枠３が開錠され、また、他方向へ回転することにより前面枠４が開錠されるようになっている。また、前面枠４の下部には幕板１７が外枠１に固定されている。更に、内枠３の裏面側には、内枠３の開閉を検出する開閉検出手段の一例として内枠開放確認スイッチ３７が設けられている。内枠開放確認スイッチ３７は、例えばマイクロスイッチなどのプッシュスイッチが用いられる。内枠開放確認スイッチ３７は内枠３が外枠１より離れる（開放される）と検出結果を後述する制御部へ出力する。尚、遊技機によっては、内枠開放確認スイッチ３７は省略してもよい。
【００１９】
図３において、内枠３の裏面側には、例えば以下の構造物が設けられている。内枠裏面側の上部には賞球を貯留する貯留タンク１８が配設されている。貯留タンク１８の下方にはタンクレール１９が配設されている。タンクレール１９は、賞球を貯留タンク１８から下流側の賞球払出装置２０へ供給する。タンクレール１９の下方には、可変表示装置７の画像処理制御基板２１ａ、遊技機の主制御基板２１ｂ、賞球払出装置２０の払出制御基板２２、図示しない発射装置の発射制御基板２３、電源基板２４などが設けられている。
【００２０】
また、図３において、内枠３の開放端側裏面には施錠部Ｒが設けられている。外枠１の縦枠部３３の上端及び下端近傍に上下係合穴２７、２８が各々設けられている。施錠部Ｒは、内枠裏面側に上下係合穴２７、２８に挿抜可能なプランジャ２９、３０を有する上下施錠ソレノイド３１，３２が各々設けられている。施錠部Ｒは、内枠３の前面側に設けられたシリンダー錠を所定方向へ回転させると上下施錠ソレノイド３１、３２が作動し、プランジャ２９、３０が上下係合穴２７、２８より抜け出て開錠する。施錠部Ｒは、内枠裏面側の貯留タンク１８と上横枠部２５及び縦枠部３３に囲まれた空間部Ｊと内枠裏面側の制御基板下方と外枠１の下横枠部２６に囲まれた下空間部Ｋに各々係合部が設けられている。
【００２１】
図９において、内枠３に設けられたシリンダー錠４４の近傍には、回転検出手段の一例として内枠解除スイッチ３６（フォトセンサ）が設けられている。内枠解除スイッチ３６は内枠３の裏面側に設けられている。シリンダー錠４４には遮光板４７が設けられており、シリンダー錠４４と一体となって回転する。遮光板４７は、シリンダー錠４４が施錠状態において内枠解除スイッチ３６を遮光しない実線位置にある。シリンダー錠４４が所定方向へ回転すると、遮光板４７が二点鎖線で示すように内枠解除スイッチ３６を遮光して後述する制御部がシリンダー錠４４が開錠したことを検出する。
【００２２】
ここで、図５を参照して遊技機の施錠装置の制御系のブロック構成の一例について説明する。遊技機の制御部である主制御基板２１ｂ又は払出制御基板２２（以下、「主制御基板２１ｂ等」という）は外部出力用中継基板３４を通じてホールコンピュータ３５へ接続されている。ホールコンピュータ３５は、ホール内に設けられた各遊技機の状態を集中管理するようになっている。
【００２３】
内枠解除スイッチ３６及び内枠開放確認スイッチ３７の検出結果（ＯＮ／ＯＦＦ）は主制御基板２１ｂ等に入力される。主制御基板２１ｂ等は内枠解除スイッチ３６及び内枠開放確認スイッチ３７の入力からシリンダー錠４４の回転及び内枠３の開放を検出すると当該内枠３の正常な開放と判定する。また、主制御基板２１ｂ等は内枠解除スイッチ３６の入力からシリンダー錠４４の回転を検出せずに内枠開放確認スイッチ３７の入力から内枠３の開放のみを検出すると当該内枠３の異常な開放と判定する。
【００２４】
主制御基板２１ｂ等は上下施錠ソレノイド３１、３２へ出力信号を出力し施錠部Ｒの施錠動作を制御する。また、主制御基板２１ｂ等は遊技機の前面枠４に設けられた開放報知用ＬＥＤ３８や音声制御基板３９へ出力信号を出力し、内枠３の開放を正常な開放又は異常な開放のいずれかと判定した際に、その判定結果に応じた報知パターンで報知する。音声制御基板３９はスピーカー４０を通じて音声を出力するようになっている。開放報知用ＬＥＤ３８やスピーカー４０は報知手段の一例である。これらの報知手段は、いずれか一方のみを遊技機に設けてもよいし、両者を併用してもよいし、更に他の手段を追加してもよい。
【００２５】
図１及び図２を参照して施錠装置の主要部である施錠部Ｒの具体的な構成例について説明する。
図１において、内枠３の開放端側裏面には断面Ｌ字状のベース部材４１が固定されている。ベース部材４１に設けられた起立壁４２の上下端部には、上下施錠ソレノイド３１、３２が上下取付板４３に囲まれて各々固定されている。上下施錠ソレノイド３１、３２のプランジャ２９、３０は縦枠部３３に設けられた上下係合穴２７、２８へ挿入されており、内枠３を外枠１に対して施錠している。
【００２６】
ベース部材４１に取り付けられたシリンダー錠４４はカム機構４６と連繋している（図９参照）。本実施形態ではカム機構４６は、遮光板４７の一部に設けられている。このカム機構４６は起立壁４２の反対面側に設けられた、スライド部材４５と連繋している。このスライド部材４５には複数箇所に係合フック（図示せず）が設けられており、前面枠４に設けられる鉤受け部材（図示せず）と係合するようになっている。シリンダー錠４４を所定方向へ回転させるとカム機構４６を通じてスライド部材４５がスライドして図示しない係合フックと鉤受け金具との係合を解除することで前面枠４を内枠３から開放することができる。尚、前面枠４を内枠３との施錠を施錠ソレノイド（図示せず）により行なっても良い。
【００２７】
図１は上下施錠ソレノイド３１、３２がＯＦＦになっている状態を示す。このときプランジャ２９、３０が上下係合穴２７、２８へ挿入されて内枠３が施錠されている。図２において、シリンダー錠４４を所定方向に回転すると、上下施錠ソレノイド３１、３２がＯＮになる。このときプランジャ２９、３０が上下係合穴２７、２８から抜け出て、内枠３が開錠される。
図２において、上下施錠ソレノイド３１、３２は、内枠３の上下端部（上横枠部２５、幕板１７上方近傍）に設けられるため、画像処理制御基板２１ａや主制御基板２１ｂと縦枠部３３との間に障害物はなくなる。このため、内枠３の開閉に伴って外枠１と干渉するおそれはなく、遊技盤５の設置領域の拡大に合わせて画像処理制御基板２１ａや主制御基板２１ｂの大きさも可能な限り拡大することができる。
【００２８】
図８において、外枠１より内枠３を開放した際に画像処理制御基板２１ａ、主制御基板２１ｂ、可変表示装置７等を含む構造物６１の描く軌道を従来の回転軌跡をＥ、本実施例に係る回転軌跡をＦとして表示されている。これにより、内枠３の裏面側に設けられる構造物６１の設置領域も領域Ｇから領域Ｈへ拡大することができる。
【００２９】
ここで、遊技機用施錠装置の制御動作を図６のフローチャートを参照して説明する。
施錠部Ｒは、図１の施錠状態にあるものとする。前面枠４側から鍵を鍵穴１６（図４参照）に差し込んでシリンダー錠４４が所定方向に回転すると内枠解除スイッチ３６（回転検出手段）がＯＮになることから、主制御基板２１ｂ等は内枠解除スイッチ３６がＯＮになったか否か判定する（ステップＳ１）。内枠解除スイッチ３６がＯＮになると、ステップＳ２へ進行して上下施錠ソレノイド３１、３２がＯＮになる。上下施錠ソレノイド３１、３２がＯＮになると、図２においてプランジャ２９、３０が上下係合穴２７、２８から抜け出て施錠部Ｒは開錠する。
【００３０】
次に、ステップＳ３において、主制御基板２１ｂ等は内枠開放確認スイッチ３７（開閉検出手段）がＯＮになっているか否かを判定する。内枠開放確認スイッチ３７がＯＮになると、内枠３が外枠１より離間したことになるため、内枠３の正常な開放と判断してステップＳ４へ進行する。尚、内枠開放確認スイッチ３７が省略される場合には、ステップＳ３は省略される。
【００３１】
ステップＳ４において、主制御基板２１ｂ等は外部出力用中継基板３４を通じてホールコンピュータ３５へ判定結果をデータ通信する（正常開放データ通信）。これにより、該当する遊技機がメンテナンス開放などを含む内枠３の正常開放である旨をホールコンピュータ３５が認識でき、各遊技機の開閉状態をデータとして一元管理することができる。
【００３２】
次いで、ステップＳ５へ進行して、主制御基板２１ｂ等は開放報知用ＬＥＤ３８を正常開放報知パターンで点灯若しくは点滅させて内枠３の正常な開放であることを報知する。または音声制御基板３９を通じてスピーカー４０より正常開放報知パターンで音声を出力させて内枠３の正常な開放であることを報知する。或いは、これらを併用することで、当該遊技機の内枠３の開放は正常な開放であることを報知する。
【００３３】
次に、ステップＳ６に進行して、係員が開放された内枠３を閉じると内枠開放確認スイッチ３７がＯＦＦすることから、主制御基板２１ｂ等は内枠開放確認スイッチ３７がＯＦＦしたか否かを判定する。内枠開放確認スイッチ３７がＯＦＦすると内枠３が閉じられたものと判定し、ステップＳ７へ進行して主制御基板２１ｂ等からのホールコンピュータ３５への正常開放データ通信を解除する。尚、内枠開放確認スイッチ３７が省略される場合には、ステップＳ６は省略される。次いで、ステップＳ８に進行して、主制御基板２１ｂ等は開放報知用ＬＥＤ３８を点灯若しくは点滅を停止し、音声制御基板３９を通じたスピーカー４０からの音声出力を停止し、遊技機からの報知動作を終了する。
【００３４】
次にステップＳ９に進行して、主制御基板２１ｂ等は内枠解除スイッチ３６がＯＦＦしたか否かを判定する。内枠解除スイッチ３６がＯＦＦになると、シリンダー錠４４が施錠されるためステップＳ１０へ進行して上下施錠ソレノイド３１、３２がＯＦＦする。上下施錠ソレノイド３１、３２がＯＦＦになると、図１においてプランジャ２９、３０が上下係合穴２７、２８へ挿入されて施錠部Ｒは施錠する。
【００３５】
また、ステップＳ１において、内枠解除スイッチ３６がＯＦＦ状態にあるとき、主制御基板２１ｂ等はステップＳ１１へ進行して内枠開放確認スイッチ３７がＯＮしたか否かを判定する。内枠開放確認スイッチ３７がＯＦＦ状態にあれば、内枠３は正常に閉じたままであるので、再度ステップＳ１へ戻って主制御基板２１ｂ等は内枠解除スイッチ３６の状態を監視する。
【００３６】
また、ステップＳ１１において、内枠開放確認スイッチ３７がＯＮになっていると、内枠解除スイッチ３６がＯＦＦにもかかわらず内枠３が外枠１より離れたことになるため、主制御基板２１ｂ等は内枠３の異常な開放（不正行為）と判定する。よって、ステップＳ１２へ進行して主制御基板２１ｂ等は外部出力用中継基板３４を通じてホールコンピュータ３５へ判定結果をデータ通信する（異常開放データ通信）。これにより、不正開放或いは故障開放などを含む内枠３の異常開放をホール側で集中管理し、遊技機ごとの不正監視体制を強化することができる。
【００３７】
次いでステップＳ１３へ進行して、主制御基板２１ｂ等は開放報知用ＬＥＤ３８を異常開放報知パターンで点灯若しくは点滅させて係員に報知する。または音声制御基板３９を通じてスピーカー４０より異常開放報知パターンで音声を出力させて係員に報知する。或いは、これらを併用することで、遊技機の内枠３が異常開放されたことを報知する。これにより内枠３が異常開放された遊技機の特定が容易になり、係員の迅速な対応が可能となる。
【００３８】
尚、内枠３が開放された状態でシリンダー錠４４に差し込まれた鍵が誤って回されると、内枠解除スイッチ３６がＯＦＦになり、上下施錠ソレノイド３１、３２がＯＦＦなる。上下施錠ソレノイド３１、３２がＯＦＦになると、内枠３が開放したままの状態でプランジャ２９、３０が内枠外縁より突出する。この状態で内枠３を閉じると外枠１と干渉して閉まらない。したがって、主制御基板２１ｂ等は内枠開放確認スイッチ３７がＯＮになっているとき、内枠解除スイッチ３６がＯＦＦになってもその検出結果を無視するようになっている。これにより、内枠３が開放された状態で誤ってシリンダー錠４４に差し込まれた鍵が回されることによる不具合を解消できる。
【００３９】
以上のように、内枠３の施錠状態を主制御基板２１ｂ等で一元管理し、内枠３の開放状態が正常な開放であるか、異常な開放（不正行為）であるかを遊技機ごとに判定することができる。また、主制御基板２１ｂ等が内枠３の正常な開放又は異常な開放を判定し異常な開放と判定した場合、その判定結果に応じた報知パターンで報知することにより、不正行為や故障が発生した遊技機の特定が容易になり、係員の迅速な対応が可能となる。また、主制御基板２１ｂ等が判定結果をホールコンピュータ３５にデータ通信することでホール側の監視体制を強化して不正防止を図ることができる。
また、遊技機が上述した施錠装置を具備していると、ホール側で各遊技機の管理がし易く信頼性も向上するため、遊技機の商品価値を高めることができる。
なお、本発明では遊技機の一例として主としてぱちんこ遊技機について説明したが、他に例えばアレンジボール機、パチスロ機、雀球機等の施錠装置が設けられる他の遊技機にも適用できる。
【図面の簡単な説明】
【００４０】
【図１】外枠及び内枠の施錠装置の施錠状態を示す断面説明図である。
【図２】図１の開錠状態を示す断面説明図である。
【図３】遊技機の背面説明図である。
【図４】遊技機の正面説明図である。
【図５】遊技機の施錠装置の制御系のブロック構成図である。
【図６】施錠装置の制御動作を示すフローチャートである。
【図７】従来の遊技機の施錠装置の背面説明図である。
【図８】図７の矢印Ａ−Ａの部分断面図である。
【図９】シリンダー錠と回転検出手段の説明図である。
【符号の説明】
【００４１】
１  外枠
２  ヒンジ機構
３  内枠
４  前面枠
５  遊技盤
６  レール
７  可変表示装置
８  始動入賞口
９  通過ゲート
１０  風車
１１ａ  アタッカー
１１ｂ  チャッカー
１２  アウトロ
１３  ガラス枠
１４  ハンドル
１５  受け皿
１６  鍵穴部
１７  幕板
１８  貯留タンク
１９  タンクレール
２０  賞球払出装置
２１ａ  画像処理制御基板
２１ｂ  主制御基板
２２  払出制御基板
２３  発射制御基板
２４  電源基板
２５  上横枠部
２６  下横枠部
２７、２８  係合穴
２９、３０  プランジャ
３１、３２  施錠ソレノイド
３３  縦枠部
３４  外部出力用中継基板
３５  ホールコンピュータ
３６  内枠解除スイッチ
３７  内枠開放確認スイッチ
３８  開放報知用ＬＥＤ
３９  音声制御基板
４０  スピーカー
４１  ベース部材
４２  起立壁
４３  取付板
４４  シリンダー錠
４５  スライド部材
４６  カム機構  
４７  遮光板
【図１】
2008110080.tif 000003
【図２】
2008110080.tif 000004
【図３】
2008110080.tif 000005
【図４】
2008110080.tif 000006
【図５】
2008110080.tif 000007
【図６】
2008110080.tif 000008
【図７】
2008110080.tif 000009
【図８】
2008110080.tif 000010
【図９】
2008110080.tif 000011